(57)【要約】【課題】ワンタッチキャップタイプのエアゾール容器において、噴射音を調整してこもり音がなく、消費者に不快感を与えないキャップ形状を実現するエアゾール容器用ワンタッチキャップを提供する。【解決手段】ノズル部材の噴射口と、内側噴射用開口部及び外側噴射用開口部とが位置合わせされて、ノズル部材から噴射される内容物は内側噴射用開口部から外側噴射用開口部を通して外部に噴射されるものであり、  前記外筒噴射用開口部の左右方向端部が、前記内側噴射用開口部の左右方向端部よりも後ろ側に位置して形成されたエアゾール容器用ワンタッチキャップ。【選択図】図１
2014221652.tif 000002
【特許請求の範囲】
【請求項１】
エアゾール等のスプレー缶の噴射弁を突没動作によって開閉するステムにノズル部材に取付け、このノズル部材を上記ステムの突没動作方向に移動可能に保持するエアゾール容器用ワンタッチキャップにおいて、
前記ワンタッチキャップは、前記スプレー缶の巻締め部に取付けられる筒状の外側側面部を有し、前記外側側面部の内方には、ノズル部材を突没操作可能にしてノズル部材の外周面形状と略同一の内周面形状を有する内側側面部を備え、
前記外側側面部及び内側側面部には、前記ノズル部材の噴射方向に対応した開口部をそれぞれ設け、
ノズル部材の噴射口と、内側噴射用開口部及び外側噴射用開口部とが位置合わせされて、ノズル部材から噴射される内容物は内側噴射用開口部から外側開口部を通して外部に噴射されるものであり、
前記外筒噴射用開口部の左右方向端部が、前記内側噴射用開口部の左右方向端部よりも後ろ側に位置して形成されたことを特徴とするエアゾール容器用ワンタッチキャップ。
【請求項２】
前記外側噴射用開口部がノズル部材の噴射角度よりも大きく形成されたことを特徴とする請求項１に記載にエアゾール容器用ワンタッチキャップ。
【請求項３】
前記外側噴射用開口部の少なくとも左右方向長さが上下方向長さよりも大きく形成されたことを特徴とする請求項１又は２に記載のエアゾール容器用ワンタッチキャップ。
【発明の詳細な説明】
【技術分野】
【０００１】
本発明は、密閉容器内に制汗剤、整髪料、化粧料等液状、粉状の内容物と液化ガスが詰められ、ノズル部材の噴射ボタンの押圧によってノズル部材の噴射口から内容物が噴霧可能になったエアゾール容器において、ノズル部材を覆うワンタッチキャップタイプのエアゾール容器用ワンタッチキャップに関する。
【背景技術】
【０００２】
内容物を噴射する各種エアゾール容器には、キャップとボタンの構造として、キャップを取って噴射ボタンを押す取り外し式のオーバーキャップタイプと、キャップを取らずに簡単に噴射ボタンを押すことができるワンタッチキャップタイプとが採用されている。ワンタッチキャップタイプには、ノズル部材の周囲を覆うキャップを取付けたままでボタンに兼用したノズル部材上部を押すタイプのものがある。
【０００３】
通常、製品品質を向上させるためには、内容物の効能・性状や噴霧能力以外に使用時の快適性の確保が必要になる。
【０００４】
そのため、エアゾール容器の噴射音が耳障りな場合、本人や近くにいる他の人に耳障りとなる可能性が高いことから、噴射音について考察する必要性がある。
【０００５】
オーバーキャップタイプは、取り外し式なので噴射口があらわになり、ボタン形状や組成を変更することで噴射音を容易に変更することができる一方、ワンタッチキャップタイプはノズル部材（ボタン）の周囲をキャップが覆っているためキャップ部で音が反響して噴射音がこもってしまい、消費者に不快感を与える場合があった。
【０００６】
エアゾール容器の噴射音の低減に関する先行技術として、特開２００９−２６９６３８号公報（引用文献１）では、キャップの外側側面部及び内側側面部の間に、内側噴射用開口部と外側噴射用開口部を連通させる隔壁を設け、隔壁に凹凸を形成し、ワンタッチキャップのエアゾール容器で噴射音を低減できる構成が開示されている。
【０００７】
このエアゾール装置においては、ワンタッチキャップの凹凸隔壁で噴射推進力を緩和することで噴射音を低減している。
【０００８】
しかしながら、さらに噴射音を低減することが要請されている。
【０００９】
なお、特開２００１−２９３４０２号公報（引用文献２）記載のエアゾール容器においては、少なくとも噴射の開始時に、バックグランドが４０ｄＢ（デシベル）のときに１００ｄＢ以上の噴射音を発生する技術が開示されている。このエアゾール製品では、噴射音を増大して、噴射していることを離れた位置から確認可能にすることを目的として噴射音を増大する共鳴板を設けている。
【００１０】
しかしながら、このエアゾール容器では、噴射音が増大するので、噴射音低減による使用感向上は望めなかった。
【先行技術文献】
【特許文献】
【００１１】
【特許文献１】特開２００９−２６９６３８号公報
【特許文献２】特開２００１−２９３４０２号公報
【発明の概要】
【発明が解決しようとする課題】
【００１２】
本発明は、斯かる実情に鑑み、ワンタッチキャップタイプのエアゾール容器において、噴射音を調整してこもり音がなく、消費者に不快感を与えないキャップ形状を実現するエアゾール容器用ワンタッチキャップを提供するものである。
【課題を解決するための手段】
【００１３】
本発明は、エアゾール等のスプレー缶の噴射弁を突没動作によって開閉するステムにノズル部材を取付け、このノズル部材を上記ステムの突没動作方向に移動可能に保持するエアゾール容器用ワンタッチキャップにおいて、
前記ワンタッチキャップは、前記スプレー缶の巻締め部に取付けられる筒状の外側側面部を有し、前記外側側面部の内方には、ノズル部材を突没操作可能にしてノズル部材の外周面形状と略同一の内周面形状を有する内側側面部を備え、
前記外側側面部及び内側側面部には、前記ノズル部材の噴射方向に対応したそれぞれの開口部を設け、
ノズル部材の噴射口と、内側噴射用開口部及び外側噴射用開口部とが位置合わせされて、ノズル部材から噴射される内容物は内側噴射用開口部から外側噴射用開口部を通して外部に噴射されるものであり、
前記外筒噴射用開口部の左右方向端部が、前記内側噴射用開口部の左右方向端部よりも後ろ側に位置して形成されたことを特徴とするエアゾール容器用ワンタッチキャップである。
【００１４】
本発明において、前記外側噴射用開口部がノズル部材の噴射角度よりも大きく形成されたことが好適である。
【００１５】
また、本発明において、前記外側噴射用開口部の少なくとも左右方向長さが上下方向長さよりも大きく形成されたことが好適である。
【発明の効果】
【００１６】
本発明のエアゾール容器用ワンタッチキャップは、ノズル部材から噴射される内容物は内側噴射用開口部から外側噴射用開口部を通して外部に噴射されるものである。噴射の際にノズル部材の噴射音が外側側面部内の空間が共鳴胴となって共鳴するが、前記外筒噴射用開口部の左右方向端部が、前記内側噴射用開口部の左右方向端部よりも後ろ側に位置して形成されているので、前記空間における共鳴が緩和されて、こもり音がなくなり、消費者に不快感を与えないという優れた効果を奏し得る。
【００１７】
なお、本発明において、前記外側噴射用開口部がノズル部材の噴射角度よりも大きく形成されていることにより、噴射される内容物が外側噴射口周囲に当たらず、こもり音を確実に解消できる。
【００１８】
また、本発明において、前記外側噴射用開口部の少なくとも左右方向長さが上下方向長さよりも大きく形成されたことにより、噴射される内容物が外側噴射口周囲に当たらず、こもり音を確実に解消できる。
【図面の簡単な説明】
【００１９】
【図１】本発明の実施形態に係るエアゾール容器用ワンタッチキャップの説明図である。
【図２】図１のワンタッチキャップの外観斜視図である。
【図３】図１のワンタッチキャップの作動説明図である。
【図４】比較例１に係るワンタッチキャップの外観説明図である。
【図５】参考例１に係るワンタッチキャップを外したエアゾール製品の外観説明図である。
【図６】比較例２に係るワンタッチキャップの外観説明図である。
【図７】本発明の実施品の外観説明図である。
【図８】比較例１に係るワンタッチキャップの噴射音の測定結果の線図である。
【図９】参考例１に係るワンタッチキャップの噴射音の測定結果の線図である。
【図１０】本発明の実施形態に係るワンタッチキャップの噴射音の測定結果の線図である。
【図１１】比較例２に係るワンタッチキャップの噴射音の測定結果の線図である。
【図１２】本発明に係るワンタッチキャップの実施品の噴射音の測定結果の線図である。
【発明を実施するための形態】
【００２０】
以下、本発明の実施形態について添付図面を参照して説明する。
【００２１】
図１は、本発明の実施形態に係るエアゾール容器用のワンタッチキャップの説明図、図２は当該ワンタッチキャップの外観斜視図、図３は当該ワンタッチキャップの作動説明図である。
【００２２】
図１、図２に示すように実施形態に係るエアゾール容器は、噴射対象物とエアゾール剤を収容したスプレー缶１２（図１では上部を図示する）の噴射弁（図示省略）を突没動作によって開閉するステム１４にノズル部材１６を嵌着によって取付け、このノズル部材１６を上記ステム１４の突没動作方向に移動可能にガイドし保持するように、前記ワンタッチキャップ１０をスプレー缶１２先端に設けたものである。
【００２３】
スプレー缶１２の先端（図１では上端）に巻締め部１２ａが形成されている。スプレー缶１２には、前記ワンタッチキャップ１０における筒状の外側側面部１０ｏの下端部内周が、前記スプレー缶１２先端の巻締め部１２ａに外嵌して、前記ワンタッチキャップ１０が前記スプレー缶１２に取付けられ固定される。このスプレー缶１２には上部に管状のステム１４が突出しており、ステム１４がスプレー缶１２内部に押し込まれるとその内部に収容されたエアゾール流体が噴出する構成のものである。
【００２４】
ワンタッチキャップ１０は、それぞれ概略筒状の外側側面部１０ｏと内側側面部１０ｉとが外内に二重壁状に有し、外側側面部１０ｏと内側側面部１０ｉがそれらの上部同士で繋がって一体樹脂成型されたものである。材料の樹脂にはポリプロピレンを用いることができる。
【００２５】
前記外側側面部１０ｏの内方には、前記ノズル部材１６を突没操作可能にして前記ノズル部材１６の外周面形状と略同一の内周面形状を有する内側側面部１０ｉを備えている。
【００２６】
前記外側側面部１０ｏ及び内側側面部１０ｉには、前記ノズル部材１６の噴射方向（符号「ｓ」で示す）に対応したそれぞれ外側噴射用開口部１８及び内側噴射用開口部２０を形成している。
【００２７】
ノズル部材１６の噴射口２２と、該噴射口２２を噴射方向に遮らないように内側噴射用開口部２０及び外側噴射用開口部１８同士が位置合わせされて、ノズル部材１６から噴射される内容物は内側噴射用開口部２０から外側噴射用開口部１８を通して外部に遮られることなく噴射される構成になっている。
【００２８】
前記ノズル部材１６の噴射口２２は、ノズル部材１６の前面に球側面形状に凹んだ部分２２ａの中心部に穿孔して形成されている。
【００２９】
また、前記内側噴射用開口部２０は、ワンタッチキャップ１０を内側側面部１０ｉにおいて、前記噴射口２２の噴射方向に対応する部分に下方に開放する概略Ｕ字型の切り欠き形状に形成される。
【００３０】
また、前記外側噴射用開口部１８は、正面視で矩形形状に形成されている。そして、前記外筒噴射用開口部１８の左右方向端部１８ａ、１８ａが、図１、図２に示すように、前記内側噴射用開口部２０の左右方向端部２０ａ、２０ａよりも後ろ側に位置して形成されている。
【００３１】
また、図３に示すように、前記ノズル部材１６においては、その噴射口２２から内容物をジェット噴射する場合に、前記噴射口２２からのジェット噴射が、噴射口２２を中心として開き角度（噴射角度Ｄ）になる。また、前記外側噴射用開口部１８について、前記噴射口２２を中心とした前記外側噴射用開口部１８の内縁が開き角度Ｅで位置している。実施形態では、前記噴射口２２からのジェット噴射の開き角度（噴射角度Ｄ）よりも、前記外側噴射用開口部１８の前記開き角度Ｅが大きく形成されている（Ｄ＜Ｅ）。
【００３２】
また、図２、図３に示すように、前記外側噴射用開口部１８の少なくとも左右方向長さＷが上下方向長さＬよりも大きく形成されている（Ｗ＞Ｌ）。
【００３３】
実施形態のエアゾール容器用ワンタッチキャップ１０によれば、ノズル部材１６から噴射される内容物は内側噴射用開口部２０から外側噴射用開口部１８を通して外部に噴射されるものである。噴射されるジェット音がワンタッチキャップ１０の外側側面部１０ｏとノズル部材１６の外面又は内側側面部１０ｉとの間の空間２４に影響されて共鳴する場合がある。ワンタッチキャップ１０では、前記外筒噴射用開口部１８の左右方向端部１８ａ、１８ａが、前記内側噴射用開口部２０の左右方向端部２０ａ、２０ａよりも後ろ側に位置して形成されているので、前記外側側面部１０ｏにおける前記外筒噴射用開口部１８の左右方向端部１８ａ、１８ａ周辺の内面に、噴射されたジェットが当たりにくくなる。
【００３４】
したがって、前記空間２４における共鳴が緩和されるので、こもり音がなくなり、エアゾール容器の使用者に不快感を与えないという優れた効果を奏し得る。
【００３５】
また、前記外側噴射用開口部１８におけるノズル部材１６の噴射口２２からの開き角度Ｅがノズル部材１６の噴射角度Ｄよりも大きく形成されている（図３参照）。したがって、噴射されるジェットが外側側面部１０ａに干渉せず、確実にジェットが当たらないようにできるので、こもり音の発生を緩和できる。
【００３６】
また、図２に示すように、前記外側噴射用開口部１８の少なくとも左右方向長さＷが上下方向長さＬよりも大きく形成されていることにより、前記外筒噴射用開口部１８の左右方向端部１８ａ、１８ａには上下方向端部の内面よりも、噴射されたジェットが当たりにくくなる。したがって、外側側面部１０ｏの外側噴射用開口部１８の周囲から空間２４内部への音響反射が少ないので、こもり音をさらに確実に解消できる。
【００３７】
次に、本発明の実施形態に係るワンタッチキャップと、参考例１と、比較例１及び比較例２に係るワンタッチキャップのとのこもり音について比較して考察した結果を説明する。上記実施形態と同様部分に同一の符号を付している。
【００３８】
図４は比較例１、図５は参考例１、図６は比較例２の各ワンタッチキャップを示す。図７は本発明の実施品に係るワンタッチキャップを示す。図８〜図１２は、各比較例と参考例１、実施形態及び実施品のジェット噴射時の発生音の周波数特性を示す。
【００３９】
図４に示すように、比較例１に係るワンタッチキャップは、外側側面部１０ｏの外側噴射用開口部ａが円形で、その開口部ａの端部が内側側面部１０ｉの内側噴射用開口部ｂの左右方向端部よりも前方に位置している通常のタイプのワンタッチキャップ１０Ａである。
【００４０】
図５に示すように、参考例１は、実施形態に示したワンタッチキャップ１０をスプレー缶１２から取り外してノズル部材１６を露出させて、該ノズル部材１６からエアゾール製品を直接噴射させる状態のものである。
【００４１】
図６に示すように、比較例２に係るワンタッチキャップは、外側側面部１０ｏの外側噴射用開口部ｃが矩形であるが、当該開口部ｃは左右方向長さＷ１が上下方向長さＬ１よりも短かいタイプ（Ｗ１＜Ｌ1）のワンタッチキャップ１０Ｂである。内側噴射用開口部ｂが比較例１と同様の幅に形成されている。
【００４２】
図７に示すように、本発明の実施品は、図１〜図３に示した実施形態のワンタッチキャップの構成に、さらに、ワンタッチキャップ１０の前記外側噴射用開口部１８が、正面視で横長の矩形形状に形成されている。すなわち、前記外側噴射用開口部１８の少なくとも左右方向長さＷ２が上下方向長さＬ２の２倍よりも大きく形成されている（Ｗ２＞２＊Ｌ２）。その他は、前記図１〜図３に示して実施形態のワンタッチキャップ１０と同様である。
【００４３】
噴射時の噴射音は以下のようになった。
比較例１のワンタッチキャップでは、噴射時の噴射音が、図８に示すように、最大音量が−９．７６ｄＢ（デシベル）であり、可聴域のうちで、主な周波数３００Ｈｚ〜４０００Ｈｚの周波数域で、１５００Ｈｚ前後でピークがあるため（図８中に符号ｐによって可聴域内のピークを破線で表示）、周辺の周波数で人間の耳で最も感度の良い２０００Ｈｚ〜３０００Ｈｚの音が聞こえづらくなり、低音のこもり音が大きく際立つために耳障りとなる。
【００４４】
また、参考例１では、図５に示すように、ワンタッチキャップがなく、ノズル部材１６から噴射するものである。
この参考例１では、このようにノズル部材１６から噴射時の噴射音が、図９に示すように、最大音量が−１２．９１ｄＢである。また、周波数５００Ｈｚ〜４０００Ｈｚの可聴域でピークが小さくなり高域に向けてなだらかであって（図９中に符号ｐによって可聴域内のピークを破線で表示）、４０００Ｈｚよりも高域の周波数にピークが来ており、噴射音のこもり感が気にならなかった。
【００４５】
これに対して、図１〜図３に示す実施形態では、ワンタッチキャップ１０の前記外側噴射用開口部１８の少なくとも左右方向長さＷが上下方向長さＬよりも大きく形成された横長タイプである。
この実施形態では、ノズル部材１６から噴射する噴射時の噴射音が、図１０に示すように（図中に符号ｐによって可聴域内のピークを破線で表示）、最大音量が−１６．２０ｄＢであり、周波数５００Ｈｚ〜４０００Ｈｚの可聴域で、ピークが２０００Ｈｚ付近にあるが、比較例１、２よりもピークが緩和されており、こもり音が緩和されて気にならないものになることが理解される。
【００４６】
また、比較例２では図６に示すように、ワンタッチキャップ１０Ｂが、開口部ｃが左右方向長さＷ１が上下方向長さＬ１よりも短かい縦長タイプである。
この比較例２では、ノズル部材１６から噴射する噴射時の噴射音が、図１１に示すように（図１１中に符号ｐによって可聴域内のピークを破線で表示）、最大音量が−１２．０７ｄＢであって、周波数５００Ｈｚ〜４０００Ｈｚの可聴域で、ピークが２０００Ｈｚ付近にあり、こもり音がある程度あり気になるものである。
【００４７】
また、図７に示す実施品では、ワンタッチキャップ１０の前記外側噴射用開口部１８の左右方向長さＷが上下方向長さＬの２倍の長さに形成された横長タイプである。
この実施品では、図１２に示すように（図中に符号ｐによって可聴域内のピークを破線で表示）、ノズル部材１６から噴射する噴射時の噴射音が、最大音量が−１５．８８ｄＢであり、周波数５００Ｈｚ〜４０００Ｈｚの可聴域で、ピークが２０００Ｈｚ付近にあるが、比較例１、２よりもピークが緩和されており、こもり音が緩和されて気にならないものになることが理解される。
【００４８】
以上の比較例１〜２と本発明に係る実施形態や実施品とのジェット噴射音を比較した結果から、エアゾール容器用ワンタッチキャップにおいて、本発明の実施によってこもり音が減少し、使用感が向上することが理解される。
【産業上の利用可能性】
【００４９】
本発明のエアゾール容器用ワンタッチキャップは、各種エアゾール容器に取付けて利用することができる。
【符号の説明】
【００５０】
１０  ワンタッチキャップ
１０ａ  外側側面部
１０ｂ  内側側面部
１２  スプレー缶
１６  ノズル部材
１８  外側噴射用開口部
１８ａ  外側噴射用開口部の左右方向端部
２０  内側噴射用開口部
２０ａ  内側噴射用開口部の左右方向端部
２２  噴射口
２４  空間
【図１】
2014221652.tif 000003
【図２】
2014221652.tif 000004
【図３】
2014221652.tif 000005
【図４】
2014221652.tif 000006
【図５】
2014221652.tif 000007
【図６】
2014221652.tif 000008
【図７】
2014221652.tif 000009
【図８】
2014221652.tif 000010
【図９】
2014221652.tif 000011
【図１０】
2014221652.tif 000012
【図１１】
2014221652.tif 000013
【図１２】
2014221652.tif 000014